(57)【要約】      （修正有）【課題】ばねが折損したとき、その衝撃でクリップ片及びばねの破片が飛散することを防止して安全性の高い被服用クリップ及びそれを備えた被服用ハンガーを提供する。【解決手段】一対のクリップ片１ａ、１ｂの側縁１４における支点部近傍を水平方向に横切る一対のクリップ片１ａ、１ｂの外周に、エラストマーにより形成するとともに一対のクリップ片１ａ、１ｂを締付ける弾性力を備えた環状の連結部材３ａを設けているから、仮にばね２が折損したときでも、一対のクリップ片１ａ、１ｂが連結部材３ａにより確実に連結されており、クリップ片１ａ、１ｂ及びばね２の破片が周囲に飛散することを防止して安全性を向上させた被服用クリップ１及びそれを備えた被服用ハンガー５とすることができるのである。【選択図】図１
0003191815.tif 000002
【実用新案登録請求の範囲】
【請求項１】
対向して配置された一対のクリップ片と略Ｕ字形のばねとを備えた被服用クリップであって、前記各クリップ片は、上方に該クリップ片を操作する操作部と、中間に前記ばねの端部と係合する係合部と、下方に被服を挟持する挟持部と、両側縁に該クリップ片を開閉する支点部とを備えており、前記係合部に前記ばねの端部を係合させて前記ばねの弾性力により前記一対のクリップ片の挟持部同士が押圧付勢するようにした被服用クリップにおいて、
前記支点部近傍を水平方向に横切る前記一対のクリップ片の外周に、エラストマーにより形成するとともに前記一対のクリップ片を締付ける弾性力を備えた環状の連結部材を設けたことを特徴とする被服用クリップ。
【請求項２】
前記連結部材は断面が円状又は楕円状であり、前記一対のクリップ片の外周には前記連結部材を配設する溝状部を形成したことを特徴とする請求項１に記載の被服用クリップ。
【請求項３】
前記ばねを合成樹脂製とした請求項１又は２に記載の被服用クリップ。
【請求項４】
請求項１〜３のいずれかに記載の複数の被服用クリップをハンガー本体に備えたことを特徴とする被服用クリップを備えた被服用ハンガー。
【請求項５】
前記対向して配置された一対のクリップ片のうち一方は、前記ハンガー本体と一体に成形されていることを特徴とする請求項４に記載の被服用クリップを備えた被服用ハンガー。
【考案の詳細な説明】
【技術分野】
【０００１】
本考案は、被服用クリップ及びそれを備えた被服用ハンガーに係り、特にばねが折れたとき、その衝撃でクリップ片及びばねの破片が飛散して手や顔などを傷つけることを防止するために、クリップ片等の飛散を防止できる被服用クリップ及びそれを備えた被服用ハンガーの技術に関するものである。
【背景技術】
【０００２】
本出願人は、被服用クリップ及びそれを備えた被服用ハンガーに関し、ばね、特に合成樹脂製のばねが折れたときに生ずるばねの飛散防止、ばねとクリップ片の飛散防止の技術開発に永年取り組んでおり、これまで多数の発明（例えば、特許文献１〜３参照）を提案してきている。
そして、特許文献１に記載の従来の技術は、ばねが折れたときに、ばねの破片の飛散を飛散防止部で受け止めながら、クリップ片を成形する金型の摺動が可能な開口を有する飛散防止部として、コスト低減と安全性の向上を図ったものである。
【０００３】
また、特許文献２及び３に記載の従来の技術は、一対のクリップ片のうちの一方を、ハンガー本体の端部に一体に成形するとともに、前記一方のクリップ片と並列に折り曲げ可能な薄肉部材で連結して他方のクリップ片も同時に成形したものである。
特許文献２及び３に記載の従来の技術は、ばねが折れたときに、ばねの破片の飛散を防止するとともに、クリップ片の飛散も防止するようにしたものである。
【先行技術文献】
【特許文献】
【０００４】
【特許文献１】特開平８−２０５９８４号公報
【特許文献２】特開２００４−１６７１４１号公報
【特許文献３】特開２００６−６１３６５号公報
【考案の概要】
【考案が解決しようとする課題】
【０００５】
特許文献１に記載の従来の技術は、ばねが折れたとき、その破片等が開口部から周囲に飛散することを防止して怪我を防止することができる。
しかしながら、ばねの弾性力により一対のクリップ片をハンガー本体に組み付けている状態であるから、ばねが折れると、クリップ片がアームから分離して、ばねが折れた衝撃で、このクリップ片やこれとともにばねの破片が飛散して手や顔などを傷つけるおそれがあるという課題があった。
【０００６】
また、特許文献２及び３に記載の従来の技術は、一対のクリップ片を連結することにより、特許文献１に記載の従来の技術の課題を解決することができる。
しかしながら、一対のクリップ片を折り曲げ可能な薄肉部材で連結しているので、経時劣化や低温脆性により薄肉部材が破断して、クリップ片やこれとともにばねの破片が飛散して手や顔などを傷つけるおそれがあるという課題があった。
【０００７】
本考案は、一対のクリップ片の側縁における支点部近傍を水平方向に横切る前記一対のクリップ片の外周に、エラストマーにより形成するとともに前記一対のクリップ片を締付ける弾性力を備えた環状の連結部材を設けることにより、従来の被服用クリップ及びそのハンガーが有していた薄肉部材が破断して、クリップ片やばねの破片が飛散するという課題を解決することを目的としている。
【課題を解決するための手段】
【０００８】
請求項１に係る本考案は、対向して配置された一対のクリップ片と略Ｕ字形のばねとを備えた被服用クリップであって、前記各クリップ片は、上方に該クリップ片を操作する操作部と、中間に前記ばねの端部と係合する係合部と、下方に被服を挟持する挟持部と、両側縁に該クリップ片を開閉する支点部とを備えており、前記係合部に前記ばねの端部を係合させて前記ばねの弾性力により前記一対のクリップ片の挟持部同士が押圧付勢するようにした被服用クリップにおいて、
前記支点部近傍を水平方向に横切る前記一対のクリップ片の外周に、エラストマーにより形成するとともに前記一対のクリップ片を締付ける弾性力を備えた環状の連結部材を設けた被服用クリップである。
【０００９】
請求項２に係る本考案は、請求項１に係る本考案の構成に加え、前記連結部材は断面が楕円状又は円状であり、前記一対のクリップ片の外周には前記連結部材を配設する溝状部を形成した被服用クリップである。
【００１０】
請求項３に係る本考案は、請求項１又は２に係る本考案の構成に加え、前記ばねを合成樹脂製とした被服用クリップである。
【００１１】
請求項４に係る本考案は、請求項１〜３のいずれかに記載の複数の被服用クリップをハンガー本体に備えた被服用クリップを備えた被服用ハンガーである。
【００１２】
請求項５に係る本考案は、請求項４に記載の本考案の構成に加え、前記対向して配置された一対のクリップ片のうち一方は、前記ハンガー本体と一体に成形されている被服用クリップを備えた被服用ハンガーである。
【考案の効果】
【００１３】
請求項１に係る本考案の被服用クリップは、各一対のクリップ片の側縁における支点部近傍を水平方向に横切る前記一対のクリップ片の外周に、エラストマーにより形成するとともに前記一対のクリップ片を締付ける弾性力を備えた環状の連結部材を設けているから、仮にばねが折損したときでも、一対のクリップ片が連結部材により確実に連結されており、クリップ片及びばねの破片が周囲に飛散することを防止して安全性を向上させることができるのである。
【００１４】
請求項２に係る本考案の被服用クリップは、請求項１に係る本考案の被服用クリップの効果に加え、前記連結部材は断面が円状又は楕円状であり、前記一対のクリップ片の外周には前記連結部材を配設する溝状部を形成したから、連結部材の構造が簡単であり、一対のクリップ片への配設を所定位置に容易に行うことができるのである。
【００１５】
請求項３に係る本考案の被服用クリップは、請求項１又は２に係る本考案の被服用クリップの効果に加え、ばねを合成樹脂製としたから、検針用の金属探知機に反応しない被服用クリップとすることができるのである。
【００１６】
請求項４に係る本考案の被服用クリップを備えた被服用ハンガーは、請求項１〜３のいずれかに記載の複数の被服用クリップをハンガー本体に備えたから、請求項１〜３のいずれかに係る本考案の被服用クリップの効果を備えたものとすることができるのである。
【００１７】
請求項５に係る本考案の被服用クリップを備えた被服用ハンガーは、請求項４に係る本考案の被服用クリップを備えた被服用ハンガーの効果に加え、前記対向して配置された一対のクリップ片のうち一方は、前記ハンガー本体と一体に成形されているから、被服用クリップのハンガー本体への取付けを不要とすることができるのである。
【図面の簡単な説明】
【００１８】
【図１】本考案の第一の実施の形態に係る被服用クリップ及びそれを備えた被服用ハンガーの斜視図である。
【図２】本考案の第一の実施の形態に係る被服用クリップ及びそれを備えた被服用ハンガーの正面図である。
【図３】図２のＡ−Ａ線拡大端面図である。
【図４】図２の右側面図である。
【図５】本考案の第一の実施の形態に係る被服用クリップ及びそれを備えた被服用ハンガーにおけるハンガー本体と一方のクリップ片とを示す正面図である。
【図６】図２のＢ-Ｂ線断面図である。
【図７】図１のＣ部拡大図である。
【図８】本考案の第一〜第三の実施の形態に係る被服用クリップにおける連結部材を示す拡大斜視図及びその断面図で、（ａ）及び（ｂ）は第一の実施の形態、（ｃ）及び（ｄ）は第二の実施の形態、（ｅ）及び（ｆ）は第三の実施の形態である。
【図９】本考案の第二及び第三の実施の形態に係る被服用クリップ及びそれを備えた被服用ハンガーを示す拡大図で、第一の実施の形態における図１のＣ部拡大図に相当する図である。
【図１０】本考案の第一の実施の形態に係るクリップを備えた被服用クリップ及それを備えた被服用ハンガーにおける被服用クリップに被服を着脱するときの、一対のクリップ片の挟持部の開閉状態と連結部材の変形状態とを説明する拡大側面説明図で、（ａ)は被服を挟持していない閉じた状態、（ｂ）は挟持部を５ｍｍ開いた状態、（ｃ）は挟持部を１０ｍｍ開いた状態及び（ｄ）は挟持部を１５ｍｍ開いた状態を示す説明図である。
【考案を実施するための形態】
【００１９】
以下、本考案の実施の形態に係る被服用クリップ及びそれを備えた被服用ハンガーを添付した図面を参照しながら詳細に説明する。
図１〜図１０は、本考案の被服用クリップ及びそれを備えた被服用ハンガーの実施の形態を示す図面であり、図１は斜視図、図２は正面図、図３は図２のＡ-Ａ線拡大端面図、図４は図２の右側面図、図５はハンガー本体と一方のクリップ片とを示す正面図、図６は図２のＢ-Ｂ線断面図、図７は図１のＣ部拡大図、図８は第一〜第三の実施の形態に係る連結部材を示す拡大斜視図及びその断面図、図９は図１のＣ部拡大図に相当する第二及び第三の実施の形態を示す図、図１０は挟持部の開閉状態と連結部材の変形状態とを説明する拡大側面説明図である。
【００２０】
以下、図１〜図１０に基づき、本考案の実施の形態に係る被服用クリップ及びそれを備えた被服用ハンガーについて説明する。
１は、対向して配置された一対のクリップ片１ａ、１ｂと、中間部分で折り返されて上下を逆にした略Ｕ字形のばね２とを備えた被服用クリップである。
【００２１】
各クリップ片１ａ、１ｂは、上方にクリップ片１ａ、１ｂを押圧して操作する操作部１１と、中間内側にばね２の端部２１と係合する係合部１２（図６参照）と、下方に被服を挟持する挟持部１３と、両側縁１４に一対のクリップ片１ａ、１ｂを開閉する支点部１５とを備えている。
５は、被服用クリップを備えた被服用ハンガーであり、ハンガー本体５１と、ハンガー本体５１の各端部に設けた２個の前記クリップ１とから構成している。
【００２２】
ハンガー本体５１は、前記クリップ片１ａ、１ｂと同様に、ポリプロピレンからなる合成樹脂製であり、水平に延びるアーム５２と、アーム５２の左右方向中間に立設した吊持用フック５３と、被服のサイズを表示するサイズ表示具（図示せず）の装着部５４とを備えている。
対向して配置された一対のクリップ片１ａ、１ｂのうち一方のクリップ片１ａは、図５に示すように、ハンガー本体５１と一体成形されている。
【００２３】
一対のクリップ片１ａ、１ｂを開閉する支点部１５は、一方のクリップ片１ａに形成された突起１５ａ（図３、図５参照）と、他方のクリップ片１ｂに形成された突起１５ａと嵌合する穴１５ｂ（図３参照）とからなる位置決め手段を備えている。
前記ばね２は、高密度カーボネイト樹脂を主体とする複合材料からなる合成樹脂製であり、対向して配置された一対のクリップ片１ａ、１ｂの係合部１２にばね２の端部２１（図６参照）を係合させてばね２の弾性力により一対のクリップ片１ａ、１ｂの挟持部１３同士が押圧付勢するようにしている。
【００２４】
また、前記各クリップ片１ａ、１ｂは、係合部１２を金型で成形する際の金型摺動用の窓孔１６と、左右の窓孔１６間に設けたばね２の破片の飛散を防止する飛散防止部１７とを表面１８に設けている。
以上のように構成された被服用クリップ１及びそれを備えた被服用ハンガー５は、各一対のクリップ片１ａ、１ｂ、ばね２及びハンガー本体５１が全て合成樹脂製であるから、被服用クリップ１又はそれを備えた被服用ハンガー５に被服を挟持させた状態で検針用の金属探知機で検査することができるのである。
【００２５】
しかしながら、被服用クリップ１又はそれを備えた被服用ハンガー５を使用するとき、仮に合成樹脂製のばね２が折り返し部分などで折損したとき、折れたばね２の衝撃でクリップ片１ａ、１ｂ又は他方のクリップ片１ｂとばね２の破片とが飛散するおそれがある。
そこで、本考案では、折れたばね２の衝撃でクリップ片１ａ、１ｂ又は他方のクリップ片１ｂとばね２の破片とが飛散しないように、以下に説明する連結部材３（３ａ、３ｂ、３ｃ）を設けたのである。
【００２６】
連結部材３は、材質がエラストマーであり、この実施の形態では、熱硬化性エラストマーであるニトリルゴムを用いている。
第一の実施の形態に係る連結部材３ａの具体的な構成は、図８（ａ）及び（ｂ）に示すように、荷重を作用させない自由状態で、長径５ｍｍ、短径３ｍｍ、全長４０ｍｍの断面が楕円状で環状に形成したものである。
【００２７】
第二の実施の形態に係る連結部材３ｂの具体的な構成は、図８（ｃ）及び（ｄ）に示すように、荷重を作用させない自由状態で、直径４ｍｍ、全長４０ｍｍの断面が円状で環状に形成したものである。
また、第三の実施の形態に係る連結部材３ｃの具体的な構成は、図８（ｅ）及び（ｆ）に示すように、荷重を作用させない自由状態で、長辺６ｍｍ、短辺２ｍｍ、全長４０ｍｍの断面が矩形状に形成したものである。
【００２８】
そして、連結部材３ａ、３ｂ、３ｃは、図７及び図９に示すように、前記支点部１５近傍を水平方向に横切る前記一対のクリップ片１ａ、１ｂの外周１９に形成した溝状部１９ａに、一対のクリップ片１ａ、１ｂを締付ける弾性力が生ずるように、１００％強の伸びを持った状態で配設するのである。
一対のクリップ片１ａ、１ｂの外周１９に形成した溝状部１９ａは、連結部材３ａ、３ｂ、３ｃの外周の一部を受入れる形状及び深さとしており、連結部材３ａ、３ｂ、３ｃを溝状部１９ａに配設したとき、伸びによる断面積の縮小を考慮した形状及び深さに形成している。
【００２９】
また、一対のクリップ片１ａ、１ｂの外周１９に形成した溝状部１９ａの深さは、クリップ片１ａ、１ｂの側縁１４と表面１８とで異ならせており、各クリップ片１ａ、１ｂの側縁１４側を深く、表面１８側を浅く形成して、表面１８側の強度を保持するようにしている。
第一の実施の形態に係る連結部材３ａを装着して完成したクリップ１又はそれを備えた被服用ハンガー５に、被服を着脱するとき、挟持部１３の開閉状態と連結部材３ａの曲り変形状態を図１０（ａ）〜（ｄ）に示す。
【００３０】
図１０（ａ）は被服を挟持していない閉じた状態、（ｂ）は挟持部１３を５ｍｍ開いた状態で薄手の被服の着脱時であり、（ｃ）は挟持部１３を１０ｍｍ開いた状態で中間厚の被服の着脱時であり、（ｄ）は挟持部１３を１５ｍｍ開いた状態で厚手の被服の着脱時である。
そして、図１０（ａ）は連結部材３ａの曲り変形が無い状態で、（ｂ）、（ｃ）、（ｄ）と挟持部１３の開き状態を大きくするにしたがって、徐々に連結部材３ａの曲り変形が大きくなるのである。
【００３１】
しかしながら、連結部材３は、エラストマー製であり、非常に大きな弾性変形が可能であり、連結部材３の耐久性を損なうことはない。
なお、クリップ１の挟持部１３の開閉状態をどのように設計し、溝状部１９ａをどのように設計して連結部材３の曲り変形をどのように設計するかについては、被服用クリップ１又はそれを備えた被服用ハンガー５の要求仕様に応じて適宜決定するのである。
【００３２】
以上の実施の形態では、ばね２は合成樹脂製としたが、金属製であっても経時劣化が生じて折れることがあり、この考案の解決手段を適用できることはもちろんである。
そして、金属製のばねを使用した被服用クリップ又はそれを備えた被服用ハンガーは、検針用の金属探知機で検査することができないので、検針については他の検査方法を採用するのである。
【００３３】
以上の実施の形態では、連結部材の断面を楕円状、円状、矩形状としたが、例えば、多角形状、半円状、半楕円状等の断面形状でもよい。
また、連結部材を一重の環状としたが、複数巻の環状としてもよく、連結部材を複数巻とする場合に、一つの環状の連結部材の長さを長く形成することにより折り返して複数巻としてもよく、複数の環状の連結部材を束ねた状態で複数巻としてもよい。
【００３４】
また、以上の実施の形態では、連結部材について、形状及び具体的数値を例示して説明したが、ばねが折れた際に、一対のクリップ片がばねの破片により飛散することを防止できる形状及び寸法となるように適宜設計することができる。
以上の実施の形態では、一対のクリップ片の外周に連結部材を配設する溝状部を形成したが、溝状部がなくてもクリップ片の外周とエラストマー製の連結部材の摩擦により、一対のクリップ片を開閉しても装着した位置がずれることはほとんど生じないため、溝状部をなくすこともできる。
【００３５】
また、以上の実施の形態では、連結部材の材質としてニトリルゴムを用いたが、各種エラストマーを採用することができることはもちろんである。
以上の実施の形態における被服用ハンガーでは、対向して配置された一対のクリップ片のうち一方は、ハンガー本体と一体に成形されるようにしたが、両方のクリップ片ともハンガー本体と別体に形成して、被服用クリップを適宜の固定手段でハンガー本体に固定するようにしてもよい。
【００３６】
また、以上の実施の形態では、ハンガー本体に２個の被服用クリップを備えているが、３個以上の被服用クリップを備えるようにしてもよい。
【符号の説明】
【００３７】
１    被服用クリップ
１ａ、１ｂ  クリップ片
１１  操作部
１２  係合部
１３  挟持部
１４  側縁
１５  支点部
１９  外周
１９ａ  溝状部
２    ばね
２１  ばねの端部
３、３ａ、３ｂ、３ｃ  連結部材
５    被服用クリップを備えた被服用ハンガー
５１  ハンガー本体
【図１】
0003191815.tif 000003
【図２】
0003191815.tif 000004
【図３】
0003191815.tif 000005
【図４】
0003191815.tif 000006
【図５】
0003191815.tif 000007
【図６】
0003191815.tif 000008
【図７】
0003191815.tif 000009
【図８】
0003191815.tif 000010
【図９】
0003191815.tif 000011
【図１０】
0003191815.tif 000012